(57)【要約】【課題】  基板ケース、ブラケット等の不正着脱を防止する。【解決手段】  メイン基板ケース２０に繋がった本体係合部５０と、メイン基板カバー３０に繋がった装着係合部６０と、両係合部５０，６０の間に配設される接続部材７０とから不正着脱防止機構が構成される。両係合部５０，６０が間に接続部材７０を配設した状態で重ねられると、接続部材７０の一端側係合突起７６が本体側係合凹部５４内に突出して接続部材が本体係合部と係合され、接続部材７０の他端側係合突起７４が装着側係合凹部６４内に突出して接続部材が装着係合部とも係合されて、本体部材に装着部材を装着した状態を保持する。本体係合部および装着係合部の少なくともいずれかにおける本体部材もしくは装着部材との連結部６９ａが切断可能に構成されており、連結部６９ａを切断して本体部材から装着部材を外すことができる。【選択図】  図１６
2004209238.tif 000002
【特許請求の範囲】
【請求項１】
本体部材に一体に連結して設けられ、一端が開口した円筒状の本体側空間が形成された本体係合部と、
装着部材に一体に連結して設けられ、一端が開口した円筒状の装着側空間が形成され、前記本体部材に前記装着部材を装着したときに前記本体係合部と対向して重なるように形成された装着係合部と、
前記本体係合部と前記装着係合部が対向して重なったときに、前記本体側空間と前記装着側空間とが繋がって形成される円筒状の係合空間内に配設される円筒状の接続部材とを有し、
前記接続部材の軸方向両側の外周面に、外方に突出するとともに内方に弾性変形可能な係合突起が形成され、前記本体側空間および前記装着側空間の内周面に、前記接続部材が挿入されたときに前記係合突起が突出して係合する本体側係合凹部および装着側係合凹部がそれぞれ形成されており、
前記本体係合部と前記装着係合部が対向して重なって前記係合空間内に前記接続部材が配設された状態で、前記本体側空間内において前記接続部材の一端側の前記係合突起が前記本体側係合凹部内に突出して前記接続部材が前記本体係合部と係合され、前記装着側空間内において前記接続部材の他端側の前記係合突起が前記装着側係合凹部内に突出して前記接続部材が前記装着係合部とも係合されて、前記本体部材に前記装着部材を装着した状態を保持するように構成され、
前記本体係合部および前記装着係合部の少なくともいずれかにおける前記本体部材もしくは前記装着部材との連結部が切断可能に構成されており、前記連結部を切断して前記本体部材から前記装着部材を外すことができるように構成されていることを特徴とする基板ケースの不正着脱防止機構。
【請求項２】
前記接続部材において前記係合突起の周方向少なくとも一方の端部にテーパ面が形成されており、
前記本体側空間内において前記接続部材の一端側の前記係合突起が前記本体側係合凹部内に突出して前記接続部材が前記本体係合部と係合された状態から前記本体係合部に対して前記接続部材を相対回転させると、前記テーパ面が前記本体側係合凹部の周方向端部と当接して前記係合突起が周方向内方に弾性変形して押し下げられて前記本体側係合凹部との係合が解除されて前記接続部材を前記本体側空間から取り出すことが可能であり、
前記装着側空間内において前記接続部材の他端側の前記係合突起が前記装着側係合凹部内に突出して前記接続部材が前記装着係合部と係合された状態から前記装着係合部に対して前記接続部材を相対回転させると、前記テーパ面が前記装着側係合凹部の周方向端部と当接して前記係合突起が周方向内方に弾性変形して押し下げられて前記装着側係合凹部との係合が解除されて前記接続部材を前記装着側空間から取り出すことが可能であるように構成されていることを特徴とする請求項１に記載の不正着脱防止機構。
【請求項３】
前記接続部材において前記本体側係合凹部および前記装着側係合凹部の周方向少なくとも一方の端部にテーパ面が形成されており、
前記本体側空間内において前記接続部材の一端側の前記係合突起が前記本体側係合凹部内に突出して前記接続部材が前記本体係合部と係合された状態から前記本体係合部に対して前記接続部材を相対回転させると、前記テーパ面が前記係合突起の周方向端部と当接して前記係合突起が周方向内方に弾性変形して押し下げられて前記本体側係合凹部との係合が解除されて前記接続部材を前記本体側空間から取り出すことが可能であり、
前記装着側空間内において前記接続部材の他端側の前記係合突起が前記装着側係合凹部内に突出して前記接続部材が前記装着係合部と係合された状態から前記装着係合部に対して前記接続部材を相対回転させると、前記テーパ面が前記係合突起の周方向端部と当接して前記係合突起が周方向内方に弾性変形して押し下げられて前記装着側係合凹部との係合が解除されて前記接続部材を前記装着側空間から取り出すことが可能であるように構成されていることを特徴とする請求項１に記載の不正着脱防止機構。
【請求項４】
制御基板を支持するケース本体部材と、前記制御基板を覆って前記ケース本体部材に着脱可能に取り付けられるケース蓋部材とから構成される基板ケースにおいて、
前記本体部材が前記ケース本体部材を構成し、前記装着部材が前記ケース蓋部材を構成してなる請求項１〜３のいずれかに記載の不正着脱防止機構を備え、
前記制御基板を支持した前記ケース本体部材に前記不正着脱防止機構を用いて前記ケース蓋部材を装着してケース内部に前記制御基板を収容するように構成された基板ケース。
【請求項５】
遊技機ケース部材と、前記遊技機ケース部材に固定されるブラケット部材と、前記ブラケット部材に着脱自在に取り付けられる基板ケースとを有して構成される遊技機において、
前記本体部材が前記ブラケット部材を構成し、前記装着部材が前記基板ケースを構成してなる請求項１〜３のいずれかに記載の不正着脱防止機構を備え、
前記ブラケット部材に前記不正着脱防止機構を用いて前記基板ケースを装着して構成される遊技機。
【請求項６】
前記ブラケット部材に前記不正着脱防止機構を用いて前記基板ケースを装着した状態で、前記ブラケット部材を前記遊技機ケース部材に結合する結合手段が前記基板ケースにより覆われるように構成されていることを特徴とする請求項５に記載の遊技機。
【請求項７】
前記基板ケースが制御基板を支持するケース本体部材と前記ケース本体部材に装着されるケース蓋部材とから構成され、
前記装着部材が前記ケース蓋部材を構成することを特徴とする請求項５に記載の遊技機。
【請求項８】
遊技機ケース部材と、前記遊技機ケース部材に固定されるブラケット部材と、前記ブラケット部材に着脱自在に取り付けられる基板ケースとを有し、前記基板ケースが、制御基板を支持するケース本体部材と、前記制御基板を覆って前記ケース本体部材に着脱可能に取り付けられるケース蓋部材とから構成される遊技機において、
前記ケース本体部材が前記本体部材に該当し、前記ケース蓋部材が前記装着部材に該当する請求項１〜３のいずれかに記載の不正着脱防止機構からなる第１の不正着脱防止機構と、
前記ブラケット部材が前記本体部材に該当し、前記基板ケースが前記装着部材に該当する請求項１〜３のいずれかに記載の不正着脱防止機構からなる第２の不正着脱防止機構とを備え、
前記制御基板を支持した前記ケース本体部材に前記第１の不正着脱防止機構を用いて前記ケース蓋部材を装着してケース内部に前記制御基板を収容し、
前記ブラケット部材に前記第２の不正着脱防止機構を用いて前記基板ケースを装着するように構成される遊技機。
【請求項９】
遊技機ケース部材と、前記遊技機ケース部材に固定されるブラケット部材と、前記ブラケット部材に着脱自在に取り付けられる基板ケースとを有し、前記基板ケースが、制御基板が収容されるケース本体部材と、前記制御基板を覆って前記ケース本体部材に着脱可能に取り付けられるケース蓋部材とから構成される遊技機において、
前記制御基板は、前記ケース蓋部材の内面側に取り付けられた状態でケース内部に収容されており、
前記制御基板における前記ケース本体部材と対向する面を覆う状態で前記ケース蓋部材に取り付けられる内部カバーと、
前記ケース本体部材が前記本体部材に該当し、前記ケース蓋部材が前記装着部材に該当する請求項１〜３のいずれかに記載の不正着脱防止機構からなる第１の不正着脱防止機構と、
前記ブラケット部材が前記本体部材に該当し、前記基板ケースが前記装着部材に該当する請求項１〜３のいずれかに記載の不正着脱防止機構からなる第２の不正着脱防止機構とを備え、
前記ケース蓋部材に前記制御基板および前記内部カバーを取り付けた状態で、前記ケース本体部材に前記第１の不正着脱防止機構を用いて前記ケース蓋部材を装着してケース内部に前記制御基板を収容し、
前記ブラケット部材に前記第２の不正着脱防止機構を用いて前記基板ケースを装着するように構成される遊技機。
【請求項１０】
前記ブラケット部材に位置決めピンが設けられるとともに、
前記基板ケースに、前記基板ケースが前記ブラケット部材に取り付けられるときに前記位置決めピンと係合可能なピン孔が形成されることを特徴とする請求項５〜請求項９のうちいずれか一項に記載の遊技機。
【発明の詳細な説明】
【技術分野】
【０００１】
本発明は、パチンコ機やスロットマシン等の遊技機において遊技機の作動を制御する制御基板等を収容する基板ケースに関し、詳細には基板を収容した状態の基板ケースを不正に開放（着脱）できなくしたり、基板ケースを遊技機から不正に取り外すことができなくして基板に対する不正行為を防止する不正着脱防止機構に関する。本発明はさらに、この不正着脱防止機構を備えた基板ケースおよび遊技機に関する。
【背景技術】
【０００２】
パチンコ機やスロットマシン等の遊技機では遊技機の作動を制御する制御基板が設けられている。例えばパチンコ遊技機では外枠に対して開閉可能に組み付けられた前枠裏側の収容枠に遊技盤及び裏機構盤が開閉可能に装備され、この裏機構盤に制御基板が取り付けられている。スロットマシンにおいても同様に、開閉カバーの裏面に制御基板が取り付けられている。これら制御基板は賞球もしくはメダルの払出制御、電動役物の開閉制御、リールの回転制御、図柄組み合わせの発生確率制御など、パチンコ遊技機もしくはスロットマシンの作動を制御する基板であり、遊技機の制御ソフトウェアが記録されたＲＯＭが搭載されて遊技機の作動を制御する中枢制御装置としての役割を有している。このため、制御基板は偽造ＲＯＭへの差し替え等の不正改造を受け難いように基板ケース内に収容されるとともに、この基板ケースはケースを開いたときにその痕跡が残るような不正開放（もしくは不正着脱）防止手段が設けられて構成されている。
【０００３】
このような不正開放防止手段として、例えば、切断可能な複数のネジ締結対を特殊ネジで締結する手段がある。これは、ケース本体部材とこのケース本体部材に開閉自在に装着されるケース蓋部材とからなる基板ケースにおいて、ケース本体部材及びケース蓋部材のそれぞれの側縁部に相対応するネジ螺合部及びネジ貫通部からなるネジ締結対を複数対形成し、このうち少なくとも１対のネジ螺合部とネジ貫通部とを締め込み方向にのみ操作可能な特殊ネジ（ネジ頭部のスリ割りがネジ締め方向のみに係合部を有して形成され、緩める方向の係合部が螺旋状に除去されているネジ、以下本明細書で「一方向ネジ」という）で締結する構成からなっている。なお、この構成において、ケース蓋部材とネジ貫通部との間には切断可能な切断部が形成されている。例えば、特許文献１や、特許文献２にこのような構成が開示されている。
【０００４】
上記の不正開放防止手段では、管理者が制御基板の保守点検等のために基板ケースを開くときには、一方向ネジで締結された締結対の切断部をニッパ等の工具で切断し、ネジ貫通部をケース蓋部材から切り離すことでケース蓋部材とケース本体部材との接続を解除してケース蓋部材を開放する。このようにケース蓋部材を開放して保守点検が行われるが、この保守点検完了後には未だ締結していない他の締結対を一方向ネジを用いて締結しケース本体部材にケース蓋部材を装着・閉鎖する。さらに、基板ケースには基板管理番号と開封履歴を表示する基板管理シールが貼られており、開封した管理者がこの基板管理シールに開封年月日と開封者氏名を記載して管理するようになっている。
【０００５】
【特許文献１】特開平１０−３２８３８５号公報
【特許文献２】特開平１１−２２６２２０号公報
【発明の開示】
【発明が解決しようとする課題】
【０００６】
上記のような不正開放防止手段によれば、一方向ネジは一般にネジを緩める方向に回転させることができず、基板ケースを開く時には切断部を切り離す必要があることから、基板ケース開放後にその切断痕跡が明確に残り、不正な開封が不可能のように思われる。ところが、このような不正開放防止手段をもってしても、これを迂回する巧妙な不正改造行為、例えば、不正者が特殊な手段を用いて一方向ネジに損傷を与えることなく取り外し、不正改造後に取り外した一方向ネジを元の位置に締結し直すことで、一見しただけでは不正行為を見抜き難いような改造工作を行った例などが発見されている。このことは不正な改造行為を未然に防止するという基板ケースの本質的機能を損なう重大な問題であり、早期改善が望まれていた。
【０００７】
さらに、基板ケースの不正開放を防止する手段を設けても、基板ケース全体を遊技機から取り外して偽造ロムを内蔵した基板ケースと交換するような不正行為も考えられ、このような不正行為は基板ケースの不正開放防止機構のみでは対応しきれないという問題がある。
【０００８】
本発明は、上記問題に鑑みて成されたものであり、基板ケースの不正開放を行ったときや、基板ケースの不正交換を行ったときにはこれを容易に発見できるようにして不正開放もしくは不正着脱を効果的に防止できるような構成の不正着脱防止機構を提供することを目的とする。本発明はさらに、このような不正着脱防止機構を備えて不正開放を効果的に防止できるような構成の基板ケースを提供することと、このような不正着脱防止機構により基板ケースを遊技機ケースに取り付けて、基板ケースの不正交換を効果的に防止できるような構成の遊技機を提供することを目的とする。
【課題を解決するための手段】
【０００９】
上記目的達成のため、本発明では、本体部材に一体に連結して設けられ、一端が開口した円筒状の本体側空間が形成された本体係合部と、装着部材に一体に連結して設けられ、一端が開口した円筒状の装着側空間が形成され、本体部材に装着部材を装着したときに本体係合部と対向して重なるように形成された装着係合部と、本体係合部と装着係合部が対向して重なったときに、本体側空間と装着側空間とが繋がって形成される円筒状の係合空間内に配設される円筒状の接続部材とを有して不正着脱防止機構が構成される。そして、接続部材の軸方向両側の外周面に、外方に突出するとともに内方に弾性変形可能な係合突起が形成され、本体側空間および装着側空間の内周面に、接続部材が挿入されたときに係合突起が突出して係合する本体側係合凹部および装着側係合凹部がそれぞれ形成されており、本体係合部と装着係合部が対向して重なって係合空間内に接続部材が配設された状態で、本体側空間内において接続部材の一端側の係合突起が本体側係合凹部内に突出して接続部材が本体係合部と係合され、装着側空間内において接続部材の他端側の係合突起が装着側係合凹部内に突出して接続部材が装着係合部とも係合されて、本体部材に装着部材を装着した状態を保持するように構成される。さらに、本体係合部および装着係合部の少なくともいずれかにおける本体部材もしくは装着部材との連結部が切断可能に構成されており、連結部を切断して本体部材から装着部材を外すことができるように構成されている。
【００１０】
なお、上記構成の本発明の不正着脱防止機構において、接続部材の係合突起の周方向少なくとも一方の端部にテーパ面が形成され、本体側空間内において接続部材の一端側の係合突起が本体側係合凹部内に突出して接続部材が本体係合部と係合された状態から本体係合部に対して接続部材を相対回転させると、テーパ面が本体側係合凹部の周方向端部と当接して係合突起が周方向内方に弾性変形して押し下げられて本体側係合凹部との係合が解除されて接続部材を本体側空間から取り出すことが可能であり、装着側空間内において接続部材の他端側の係合突起が装着側係合凹部内に突出して接続部材が装着係合部と係合された状態から装着係合部に対して接続部材を相対回転させると、テーパ面が装着側係合凹部の周方向端部と当接して係合突起が周方向内方に弾性変形して押し下げられて装着側係合凹部との係合が解除されて接続部材を装着側空間から取り出すことが可能であるように構成されているのが好ましい。
【００１１】
もしくはこれに代えて、接続部材の本体側係合凹部および装着側係合凹部の周方向少なくとも一方の端部にテーパ面が形成され、本体側空間内において接続部材の一端側の係合突起が本体側係合凹部内に突出して接続部材が本体係合部と係合された状態から本体係合部に対して接続部材を相対回転させると、テーパ面が係合突起の周方向端部と当接して係合突起が周方向内方に弾性変形して押し下げられて本体側係合凹部との係合が解除されて接続部材を本体側空間から取り出すことが可能であり、装着側空間内において接続部材の他端側の係合突起が装着側係合凹部内に突出して接続部材が装着係合部と係合された状態から装着係合部に対して接続部材を相対回転させると、テーパ面が係合突起の周方向端部と当接して係合突起が周方向内方に弾性変形して押し下げられて装着側係合凹部との係合が解除されて接続部材を装着側空間から取り出すことが可能であるように構成されていても良い。
【００１２】
また、本発明に係る基板ケースは、制御基板を支持するケース本体部材と、制御基板を覆ってケース本体部材に着脱可能に取り付けられるケース蓋部材とから構成され、さらに、本体部材がケース本体部材を構成するとともに装着部材がケース蓋部材を構成してなる上記の本発明に係る不正着脱防止機構を備え、制御基板を支持したケース本体部材にこの不正着脱防止機構を用いてケース蓋部材を装着してケース内部に制御基板を収容する。
【００１３】
さらに、本発明に係る遊技機は、遊技機ケース部材と、この遊技機ケース部材に固定されるブラケット部材と、このブラケット部材に着脱自在に取り付けられる基板ケースとを有して構成され、さらに、本体部材がブラケット部材を構成するとともに装着部材が基板ケースを構成してなる上記本発明に係る不正着脱防止機構を備え、ブラケット部材に不正着脱防止機構を用いて基板ケースを装着する。
【００１４】
なお、このように構成された本発明に係る遊技機において、ブラケット部材に上記不正着脱防止機構を用いて基板ケースを装着した状態で、ブラケット部材を遊技機ケース部材に結合する結合手段が基板ケースにより覆われるように構成するのが好ましい。
【００１５】
また、上記の構成の本発明に係る遊技機において、基板ケースが制御基板を支持するケース本体部材とケース本体部材に装着されるケース蓋部材とから構成され、装着部材がケース蓋部材を構成するようにするのが好ましい。
【００１６】
また、もう一つの本発明に係る遊技機は、遊技機ケース部材と、この遊技機ケース部材に固定されるブラケット部材と、このブラケット部材に着脱自在に取り付けられる基板ケースとを有し、この基板ケースが、制御基板を支持するケース本体部材と、制御基板を覆ってケース本体部材に着脱可能に取り付けられるケース蓋部材とから構成される。そして、ケース本体部材が本体部材に該当し、ケース蓋部材が装着部材に該当する上記本発明に係る不正着脱防止機構からなる第１の不正着脱防止機構と、ブラケット部材が本体部材に該当し、基板ケースが装着部材に該当する上記本発明に係る不正着脱防止機構からなる第２の不正着脱防止機構とを備え、制御基板を支持したケース本体部材に第１の不正着脱防止機構を用いてケース蓋部材を装着してケース内部に制御基板を収容し、ブラケット部材に第２の不正着脱防止機構を用いて基板ケースを装着するように構成される。
【００１７】
さらにもう一つの本発明に係る遊技機は、遊技機ケース部材と、遊技機ケース部材に固定されるブラケット部材と、ブラケット部材に着脱自在に取り付けられる基板ケースとを有し、この基板ケースが、制御基板が収容されるケース本体部材と、制御基板を覆ってケース本体部材に着脱可能に取り付けられるケース蓋部材とから構成される。そして、制御基板は、ケース蓋部材の内面側に取り付けられた状態でケース内部に収容されており、制御基板におけるケース本体部材と対向する面を覆う状態でケース蓋部材に取り付けられる内部カバーと、ケース本体部材が本体部材に該当し、ケース蓋部材が装着部材に該当する上記本発明に係る不正着脱防止機構からなる第１の不正着脱防止機構と、ブラケット部材が本体部材に該当し、基板ケースが装着部材に該当する上記本発明に係る不正着脱防止機構からなる第２の不正着脱防止機構とを備え、ケース蓋部材に制御基板および内部カバーを取り付けた状態で、ケース本体部材に第１の不正着脱防止機構を用いてケース蓋部材を装着してケース内部に制御基板を収容し、ブラケット部材に第２の不正着脱防止機構を用いて基板ケースを装着するように構成される。
【００１８】
また、上記の構成の本発明に係る各遊技機において、ブラケット部材に位置決めピンが設けられるとともに、基板ケースに、基板ケースがブラケット部材に取り付けられるときに位置決めピンと係合可能なピン孔が形成されることが好ましい。
【発明の効果】
【００１９】
本発明に係る不正着脱防止機構によれば、本体係合部と装着係合部とが対向して重なるようにして本体部材に装着部材を装着するときに、対向して重なる両係合部の間の係合用空間内に接続部材を配設しておけば、両係合部が対向して重なったときに、係合空間内において本体側係合凹部内に一端側の係合突起が突出して本体係合部が接続部材と係合するとともに装着側係合凹部内に他端側の係合突起が突出して装着係合部も接続部材と係合する。この結果、接続部材を介して本体係合部が装着係合部と係合され、本体部材に装着部材を装着した状態のまま係合保持する。このように、係合空間内において接続部材を介して本体係合部と装着係合部とが係合保持されるため、この係合を外部から解除することが不可能であり、装着部材を本体部材から開放もしくは取り外すことができなくなる。
【００２０】
ここで、本体係合部および装着係合部の少なくともいずれかにおける本体部材もしくは装着部材との連結部が切断可能に構成されており、この連結部を切断すれば本体部材から装着部材を外すことができるが、このように連結部を切断したときにはその破壊痕跡が残るためこれを容易に発見でき、不正行為を効果的に抑止できる。但し、保守点検の際にはこのように連結部を切断して装着部材を開放もしくは取り外して保守点検が行われる。この場合、本体部材および装着部材には複数組の本体係合部および装着係合部が設けられており、保守点検の完了後に、まだ連結部が切断されていない係合部組に接続部材を取り付けてこれを係合保持し、本体部に装着部材を再度装着して係合保持する。
【００２１】
また、上記構成の本発明の不正着脱防止機構において、接続部材の係合突起の周方向少なくとも一方の端部にテーパ面が形成され、接続部材が本体係合部と係合された状態から本体係合部に対して接続部材を相対回転させると接続部材を本体側空間から取り出すことが可能であり、接続部材が装着係合部と係合された状態から装着係合部に対して接続部材を相対回転させると接続部材を装着側空間から取り出すことが可能であるように構成されていることで、連結部が切断された状態において、接続部材を介して係合された本体係合部に対して装着係合部を相対回転させるだけで、接続部材と本体係合部もしくは装着係合部との係合を解除できる。このため、このように係合を解除した本体係合部および装着係合部の内部から接続部材を工具などを使用することなく容易に取り外すことができ、このように取り外した接続部材を連結部が切断されていない係合部組に取り付け、本体係合部に装着係合部を再度装着して係合保持するために使用できる。
【００２２】
もしくはこれに代えて、接続部材の本体側係合凹部および装着側係合凹部の周方向少なくとも一方の端部にテーパ面が形成され、接続部材が本体係合部と係合された状態から本体係合部に対して接続部材を相対回転させると接続部材を本体側空間から取り出すことが可能であり、接続部材が装着係合部と係合された状態から装着係合部に対して接続部材を相対回転させると接続部材を装着側空間から取り出すことが可能であるように構成されていることで、連結部が切断された状態において、接続部材を介して係合された本体係合部に対して装着係合部を相対回転させるだけで、接続部材と本体係合部もしくは装着係合部との係合を解除できる。このため、このように係合を解除した本体係合部および装着係合部の内部から接続部材を工具などを使用することなく容易に取り外すことができ、このように取り外した接続部材を連結部が切断されていない係合部組に取り付け、本体係合部に装着係合部を再度装着して係合保持するために使用できる。
【００２３】
また、本発明に係る基板ケースによれば、連結部を切断しない限りケース本体部材からケース蓋部材を開放することができないため、ケース蓋部材の不正開放の防止効果が高い。また、連結部を切断してケース蓋部材を不正に開放したときにはその破壊痕跡が残るためこれを容易に発見でき、基板ケースの不正開放行為を効果的に抑止できる。
【００２４】
さらに、本発明に係る遊技機によれば、連結部を切断しない限りブラケット部材から基板ケースを取り外すことができないため、基板ケースの不正交換の防止効果が高い。また、連結部を切断して基板ケースを不正に交換したときにはその破壊痕跡が残るためこれを容易に発見でき、基板ケースの不正着脱交換行為を効果的に抑止できる。
【００２５】
なお、このように構成された本発明に係る遊技機において、ブラケット部材に上記不正着脱防止機構を用いて基板ケースを装着した状態で、ブラケット部材を遊技機ケース部材に結合する結合手段が基板ケースにより覆われるように構成されることで、不正着脱防止機構の連結部を不正に切断して基板ケースを取り外さない限り結合手段にアクセスすることができず、ブラケットを遊技機ケースから不正に取り外すような行為を確実に防止できる。
【００２６】
また、上記の構成の本発明に係る遊技機において、基板ケースが制御基板を支持するケース本体部材とケース本体部材に装着されるケース蓋部材とから構成され、装着部材がケース蓋部材を構成するようにすることで、ケース蓋部材がケース本体部材を覆って閉止された状態でこのケース蓋部材がブラケット部材に上記不正着脱防止機構を用いて装着されることになり、この不正着脱防止機構の連結部材を切断しない限りケース蓋部材を開放することができないだけでなく、基板ケースをブラケットから取り外すことができないようにもなる。すなわち、一つの不正着脱防止機構により、ケース蓋部材の不正開放と基板ケースの不正着脱交換とを防止することができる。
【００２７】
また、もう一つの本発明に係る遊技機によれば、第１の不正着脱防止機構によりケース蓋部材がケース本体部材に閉止状態で係合保持されて基板ケースの不正開放行為を確実に防止でき、第２の不正着脱防止機構により基板ケースがブラケット部材に装着状態で係合保持されて基板ケースの不正着脱交換行為を確実に防止できる。
【００２８】
さらにもう一つの本発明に係る遊技機によれば、同様に、第１の不正着脱防止機構によりケース蓋部材がケース本体部材に閉止状態で係合保持されて基板ケースの不正開放行為を確実に防止でき、第２の不正着脱防止機構により基板ケースがブラケット部材に装着状態で係合保持されて基板ケースの不正着脱交換行為を確実に防止できる。さらに、制御基板がケース蓋部材の内面側に取り付けられるとともに、内部カバーが制御基板におけるケース本体部材と対向する面を覆う状態でケース蓋部材に取り付けられるため、ケース本体部材とケース蓋部材との隙間から針金やセル板などの道具がケース内部に挿入されても、これらの道具は制御基板に到達できないことから、制御基板に対する不正行為をより確実に防止することができる。
【００２９】
また、上記の構成の本発明に係る各遊技機において、ブラケット部材に位置決めピンが設けられるとともに、基板ケースに位置決めピンと係合可能なピン孔が形成されることで、基板ケースをブラケット部材に取り付ける際の位置決めを容易に行うことができる。
【発明を実施するための最良の形態】
【００３０】
以下、図面を参照して本発明の好ましい実施形態について、基板ケースをスロットマシンに適用した場合を例にして説明する。
【００３１】
スロットマシンの代表例を図１（Ａ）および（Ｂ）に示しており、この第１実施例のスロットマシンＳＭは、前面が開放した本体ケース１およびその前面開放部を開閉自在に覆って取り付けられる本体カバー２とから構成される略直方体状のキャビネットケース内に遊技構成機構を配設して構成される。なお、図１（Ｂ）は本体カバー２を取り外した状態のスロットマシンＳＭを示している。本体カバー２の前面には、図柄表示を行うための表示窓３、スタートレバー４、停止ボタン５、メダル投入口６、メダル払出口７、ここから払い出されるメダルを受容する受け皿８等が図示にように設けられている。このスロットマシンＳＭにおける本体ケース１の内部を図１（Ｂ）に示しており、ここには、メイン基板アセンブリＭＢＡ、第１〜第３リール１１ａ〜１１ｃを有して構成される回転リール装置１１、遊技メダル払出装置１２、電源基板１３、遊技メダル補助収納庫１４等が図示のように配設されている。本体ケース１の内部の上部を拡大して図２に示しており、メイン基板アセンブリＭＢＡは、本体ケース１の背面板１ａに取り付けられたブラケットＢＲの上に取り付けられている。この本体ケース１に本体カバー２がヒンジ結合されており、本体ケース１から本体カバー２に延びる電気配線が設けられているが、図１、図２ではこの配線を省略している。
【００３２】
上記の構成におけるブラケットＢＲおよびメイン基板アセンブリＭＢＡに本発明に係る不正着脱防止機構を適用しており、これらの構成について以下に説明する。ブラケットＢＲは、図３に示すように、左右一対の第１および第２ブラケット部材４０，４３から構成される。第１ブラケット部材４０は、略Ｌ字状の平板部４１と、平板部４１の左および下側縁に沿って起立して形成されたＬ字状のリブ部４２と、リブ部４２の右側内面に形成された上下一対の係合凹部４２ａとを有して構成される。第２ブラケット部材４３は、略逆Ｌ字状の平板部４４と、平板部４４の下側縁に沿って起立して形成されたリブ部４５と、平板部４４の上下側縁から対向して起立形成された一対の保持アーム４６，４６と、平板部４４の右側縁に形成された支持台部４７ａと、支持台部４７ａから突出して形成された支持突起部４７ｂとを有して構成される。そして、支持台部４７ａの内側面に沿って、後述する第２の不正着脱防止機構ＤＰＭ２を構成する本体係合部５０が設けられている。
【００３３】
第１および第２ブラケット部材４０，４３は、図２および図３に示すように、それぞれ平板部４１，４４に形成されたネジ挿入孔４１ａに挿入されたネジ１５（平板部４４のネジ挿入孔およびネジは図示せず）により本体ケース１の背面板１ａに結合固定されている。なお、平板部４１と平板部４４とを一体に繋いで第１及び第２ブラケット部材４０，４３を一体に形成しても良い。
【００３４】
メイン基板アセンブリＭＢＡは、図３に示すように、ブラケットＢＲ側に位置するメイン基板ケース２０と、メイン基板ケース２０の内部に配設固定されるＲＯＭ１７等が設けられたメイン制御基板１６（図２参照）と、このように取り付けられたメイン制御基板１６を覆ってメイン基板ケース２０の上に開閉自在に取り付けられるメイン基板カバー３０とを有して構成される。但し、図３においてはメイン制御基板１６を省略して示している。このメイン基板アセンブリＭＢＡにおいて、メイン基板ケース２０にメイン基板カバー３０を覆って（閉止して）取り付けた状態でこれら両者が第１の不正着脱防止機構ＤＰＭ１によって係合保持されるが、この場合には、メイン基板ケース２０が特許請求の範囲に規定する本体部材に該当し、メイン基板カバー３０が装着部材に該当する。
【００３５】
メイン基板ケース２０は、前面が開放した矩形箱状に形成されたケース筐体２１を有し、このケース筐体２１にメイン制御基板１６が図２に示すように固定されて配設される。メイン基板カバー３０は、図３に示すように、後面が開口した矩形箱状に形成されたカバー筐体３１と、カバー筐体３１の右側部に延びて一体に形成された矩形枠部３４とを有し、メイン制御基板１６が配設固定されたケース筐体２１の前面上に重なるように取り付けられる。これにより、メイン制御基板１６はメイン基板ケース２０とメイン基板カバー３０との間に形成されるケース空間内に配設される。カバー筐体３１の左側面には、上下に間隔を置いて左側方に突出する一対の係合突起３６，３６が形成されている。
【００３６】
メイン基板ケース２０におけるケース筐体２１の上側壁外面に等間隔で三カ所にヒンジ軸２２が形成され、下側壁外面に前方に突出する一対の係止アーム２３が形成されている。メイン基板カバー３０におけるカバー筐体３１の上側壁外面には、等間隔で三カ所に上記ヒンジ軸２２と揺動自在に係合するヒンジアーム３２が形成され、下側壁外面に一対の係止突起３３が形成されている。このため、図４、特にその丸囲みＡの断面図に示すように、ヒンジ軸２２とヒンジアーム３２とをヒンジ係合させて、メイン基板ケース２０に対してメイン基板カバー３０をこのヒンジ係合部を中心として開閉揺動させることができる。メイン基板カバー３０をメイン基板ケース２０の上に重ねて閉止状態とすると、図４の丸囲みＢの断面図に示すように、係止アーム２３が係止突起３３と係合して閉止状態のまま保持される。
【００３７】
ケース筐体２１の前面端の全周にわたって前方に突出するケース側嵌合リブ２５が形成され、カバー筐体３１の後面端の全周にわたって後方に突出するカバー側嵌合リブ３５が形成されており、両嵌合リブ２５，３５が、図４の丸囲みＢの断面図に示すように嵌合してメイン基板カバー３０がメイン基板ケース２０に閉止状態で取り付けられる。このように嵌合リブ２５，３５を嵌合させることにより、外部から針金などを用いてメイン制御基板１６に対する不正行為を行うことを防止する。
【００３８】
メイン制御基板１６が取り付けられたメイン基板ケース２０を覆ってメイン基板カバー３０が取り付けられた状態では、係止アーム２３がその弾性変形力により係止突起３３と係合しているだけである。このため、係止アーム２３を外方に弾性変形させれば係止突起３３との係合を解除して、メイン基板カバー３０を簡単に開放できる。そこで、このように閉止状態で取り付けたメイン基板カバー３０を開放できなくして不正操作を防止するために、本発明に係る不正着脱防止機構（第１の不正着脱防止機構ＤＰＭ１）がメイン基板アセンブリＭＢＡの下側面に沿って合計４カ所に設けられている。これら第１の不正着脱防止機構ＤＰＭ１はそれぞれ、メイン基板ケース２０に繋がった本体係合部５０と、メイン基板カバー３０に繋がった装着係合部６０と、両係合部５０，６０の間に挿入保持される接続部材７０とから構成される。この第１の不正着脱防止機構ＤＰＭ１の詳細説明は後述する。
【００３９】
第１の不正着脱防止機構ＤＰＭ１により係合保持されたメイン基板ケース２０およびメイン基板カバー３０の間にメイン制御基板１６を収容して構成されるメイン基板アセンブリＭＢＡは、メイン基板カバー３０のカバー筐体３１の左側面に形成された上下一対の係合突起３６，３６を、第１ブラケット部材４０のリブ部４２に形成された上下一対の係合凹部４２ａ，４２ａにそれぞれ挿入係合した状態で、ブラケットＢＲ（第１および第２ブラケット部材４０，４３）の上に取り付けられる。このとき、図２および図４に示すように、矩形枠部３４が支持台部４７ａの上に載置されるとともに支持突起部４７ｂを囲んで位置決めされる。さらに、矩形枠部３４の上下両端部が、図４の丸囲みＣの断面図に示すように、上下の保持アーム４６により挟まれるとともに保持アーム４６の内面に設けられた保持突起４６ａにより係止保持される。
【００４０】
メイン基板アセンブリＭＢＡがブラケットＢＲの上に装着された状態では、保持アーム４６がその弾性変形力により矩形枠部３４の上下端部と係合しているだけである。このため、保持アーム４６を外方に弾性変形させれば矩形枠部３４との係合を解除して、メイン基板アセンブリＭＢＡ全体を取り外すことができる。そこで、メイン基板アセンブリＭＢＡを取り外せなくしてその不正交換を防止するために、本発明に係る不正着脱防止機構（第２の不正着脱防止機構ＤＰＭ２）がメイン基板アセンブリＭＢＡの左側面に沿って（且つ、矩形枠部３４に囲まれる部分に位置して）合計４カ所に設けられている。これら第２の不正着脱防止機構ＤＰＭ２はそれぞれ、メイン基板カバー３０に繋がった装着係合部６０と、第２ブラケット部材４３の支持台部４７ａに繋がった本体係合部５０と、両係合部５０，６０の間に挿入保持される接続部材７０とから構成される。この構成から分かるように、第２の不正着脱防止機構ＤＰＭ２においては、ブラケットＢＲが特許請求の範囲に規定する本体部材に該当し、メイン基板アセンブリＭＢＡ（メイン基板カバー３０）が装着部材に該当する。
【００４１】
以下に、上述した第１の不正着脱防止機構ＤＰＭ１および第２の不正着脱防止機構ＤＰＭ２について説明するが、両機構ＤＰＭ１，ＤＰＭ２は基本的な構成が同一であるため、同一構成部分には同一番号を付して、重複する部分についての説明は省略する。
【００４２】
図５に、メイン基板ケース２０の下側面に沿って設けられて、第１の不正着脱防止機構ＤＰＭ１を構成する本体係合部５０，１５０を示している。本体係合部５０が第１実施形態を示し、本体係合部１５０が第２実施形態を示しており、ここでは第１実施形態に係る本体係合部５０を説明し、第２実施形態に係る本体係合部１５０については後述する。この本体係合部５０を矢印VI−VIに沿って断面して見た図を図６（Ａ）に示し、図６の矢印Ｂ−Ｂに沿って断面して見た図を図６（Ｂ）に示している。
【００４３】
第１実施形態に係る本体係合部５０は上方に開口するとともに本体側底壁５２を有した有底円筒状の本体側円筒部５１を有して構成され、一対の本体側連結部５９ａを介してメイン基板ケース２０のケース筐体２１と一体に繋がれている。本体側円筒部５１内に形成される円筒状の本体側空間５５内に、互いに対向して（１８０度離れる位置関係で）本体側係合凹部５４，５４が形成されており、本体側係合凹部５４の先端側に段部５４ａが形成される。本体側底壁５２には本体側円筒部５１の内周面に接するとともに互いに対向して本体側空間５５内に突出する一対の本体側回転規制突起５３，５３が形成されている。本体側円筒部５１の上端にはリング状の本体側嵌合リブ５１ａが形成されている。この本体係合部５０はメイン基板ケース２０とともに樹脂成形により作られるが、本体側係合凹部５４は、例えば、ルーズコアピン（スライド）金型を使用して、本体側円筒部５１および低壁５２に本体側係合凹部５４を成形するための開口が発生しないように成形されている。これにより、後述するように、外部から本体側空間内に針金等を挿入して不正着脱行為を行うことを効果的に防止できる。
【００４４】
図７に、第２ブラケット部材４３の平板部４４上において支持台部４７ａに沿って設けられて第２の不正着脱防止機構ＤＰＭ２を構成する本体係合部５０を示している。この本体係合部５０を矢印VIII−VIIIに沿って断面して見た図を図８（Ａ）に示し、図８の矢印Ｂ−Ｂに沿って断面して見た図を図８（Ｂ）に示している。
【００４５】
この本体係合部５０は上方に開口した有底円筒状の本体側円筒部５１を有して構成され、その本体側底壁５２は第２ブラケット部材４３の平板部４４と一体に繋がっている。本体側円筒部５１内に形成される円筒状の本体側空間５５内に、互いに対向して（１８０度離れる位置関係で）本体側係合凹部５４，５４が形成されており、本体側係合凹部５４の先端側に段部５４ａが形成される。本体側底壁５２には本体側円筒部５１の内周面に接するとともに互いに対向して本体側空間５５内に突出する一対の本体側回転規制突起５３，５３が形成されている。また、本体側円筒部５１の上端にはリング状の本体側嵌合リブ５１ａが形成されている。
【００４６】
この本体係合部５０も樹脂成形されるが、本体側係合凹部５４を樹脂成形するための金型の関係上、本体側係合凹部５４は本体側底壁５２を貫通して平板部４４の裏面に開口している。すなわち、この樹脂成形では、上述した第１の不正着脱防止機構ＤＰＭ１を構成する本体係合部５１の成形におけるようなルーズコアピン（スライド）金型を使用しておらず、このため成形が容易である。なお、この開口は平板部４４の裏面に位置しているため、第２ブラケット部材４３によりこの開口が塞がれ、外部からの不正着脱行為の問題はない。
【００４７】
次に、メイン基板カバー３０に設けられる、第１および第２の不正着脱防止機構ＤＰＭ１，ＤＰＭ２を構成する装着係合部について図９を参照して説明する。図９はメイン基板カバー３０を開放した状態で内面側から見た図であり、この図においてカバー筐体３１の上側面に沿って第１の不正着脱防止機構ＤＰＭ１を構成する装着係合部６０および１６０が設けられ、右側面に沿って第２の不正着脱防止機構ＤＰＭ２を構成する装着係合部６０が設けられている。なお、装着係合部６０が第１実施形態を示し、装着係合部１６０が第２実施形態を示しており、ここでは第１実施形態に係る装着係合部６０を説明し、第２実施形態に係る本体係合部１６０については後述する。
【００４８】
第１の不正着脱防止機構ＤＰＭ１を構成する装着係合部６０，１６０の平面断面図を図１０に示し、図１０の矢印XI−XIに沿った断面図を図１１に示している。このうちの第１の実施形態に係る装着係合部６０は、上方に開口するとともに装着側底壁６２を有した有底円筒状の装着側円筒部６１を有して構成され、メイン基板カバー３０のカバー筐体３１と一本の装着側連結部６９ａを介して繋がれている。装着側円筒部６１内に形成される円筒状の装着側空間６５内に、互いに対向して（１８０度離れる位置関係で）装着側係合凹部６４，６４が形成されており、装着側係合凹部６４の先端側に段部６４ａが形成されている。装着側底壁６２には装着側円筒部６１の内周面に接するとともに互いに対向して装着側空間６５内に突出する一対の装着側回転規制突起６３，６３が形成されている。装着側円筒部６１の上端にはリング状の装着側嵌合リブ６１ａが形成されている。この装着係合部６０はメイン基板カバー３０とともに樹脂成形により作られるが、装着側係合凹部６４は、例えば、ルーズコアピン（スライド）金型を使用して形成される。このため、装着側円筒部６１および装着側底壁６２に、装着側係合凹部６４を成形するための開口が発生せず、外部からの不正着脱行為を効果的に防止できる。
【００４９】
第２の不正着脱防止機構ＤＰＭ２を構成する装着係合部６０は、上記第１の不正着脱防止機構ＤＰＭ１を構成する装着係合部６０と同一構成（すなわち、図１０および図１１の構成と同一構成）であるのでその説明は省略する。但し、第１の不正着脱防止機構ＤＰＭ１を構成する装着係合部６０は一本の装着側連結部６９ａを介してカバー筐体３１と繋がれているが、第２の不正着脱防止機構ＤＰＭ２を構成する装着係合部６０は、それぞれ二本の装着側連結部６９ｂ，６９ｂを介してカバー筐体３１と繋がれている。
【００５０】
次に、接続部材７０について、図１２〜図１４を参照して説明する。接続部材７０は軸方向に貫通する中空円筒の中央に仕切壁７８を設けた形状の樹脂製接続本体部７１を有し、接続本体部７１の軸方向一端側に一対の回転規制凹部７２が周方向に１８０度離れて形成され、軸方向他端側に一対の回転規制凹部７３が周方向に１８０度離れて形成されている。なお、回転規制凹部７２に対して回転規制凹部７３は周方向に９０度離れる位置関係となっている。接続本体部７１にはさらに、一端側近傍において回転規制凹部７２と周方向に９０度離れる位置関係で一対の係合突起７４が形成され、他端側近傍において回転規制凹部７３と周方向に９０度離れる位置関係で一対の係合突起７６が形成されている。
【００５１】
これら係合突起７４，７６は、U字状の切り欠き７５ａ，７７ａに囲まれて接続本体部７１から離れ、基部７５ｂ，７７ｂにおいて接続本体部７１と繋がり、基部７５ｂ，７７ｂを中心とする弾性変形により径方向に揺動可能である。両係合突起７４，７６はともに、自由状態で接続本体部７１の外周面より外方に突出しているが、径方向内方に押されると基部７５ｂ，７７ｂを中心として径方向内方に揺動する。両係合突起７４，７６の周方向一端側面（図１３における時計回り方向側端面）には周方向に傾斜したテーパ面７４ａ，７６ａが形成され、他端側面（図１３における反時計回り方向側端面）は周方向に直角な垂直面７４ｂ，７６ｂとなっている。
【００５２】
以上のように構成された第１および第２の不正着脱防止機構ＤＰＭ１，ＤＰＭ２の係合作動について、第１の不正着脱防止機構ＤＰＭ１によるメイン基板ケース２０とメイン基板カバー３０との係合保持作動を例にして説明する。第１の不正着脱防止機構ＤＰＭ１によりメイン基板ケース２０にメイン基板カバー３０を係止保持するときには、まず、図１６（Ａ）に示すように、本体係合部５０の本体側係合空間５５内に接続部材７０の一端側を挿入する。このとき、一端側の係合突起７４，７４が本体側係合凹部５４と周方向に同一となるように位置合わせして接続部材を本体側係合空間５５内に挿入する。また、このように本体側係合凹部５４内に係合突起７４が入り込むように位置合わせすることにより、本体側回転規制突起５３が回転規制凹部７３内に入り込む。逆に言えば、この位置合わせ方向と異なる回転方向位置で接続部材７０を挿入しようとしても本体側回転規制突起５３が邪魔して挿入ができないような構成となっている。
【００５３】
これにより図示のように、係合突起７４が内方に押されて弾性変形して段部５４ａを乗り越え、本体側係合凹部５４内に入り込んで元の形状となって本体側係合空間５５内に突出し、係合突起７４の先端が段部５４ａと対向して係合し、図示のように一端側が挿入された状態で接続部材７０が本体係合部５０に係合保持される。なお、この作業は係合突起７４を内方に弾性変形させる程度の押し込み力を加えるだけであり、工具を用いることなく手作業で簡単に行える。
【００５４】
次に、メイン基板カバー３０を閉止すると、図１６に示すように、装着係合部６０が、上記のように係合保持されて本体係合部５０から上方に突出する接続部材７０の他端側に覆い被さる。この結果、係合突起７６が内方に押されて弾性変形して段部６４ａを乗り越え、装着側係合凹部６４内に入り込んで元の形状となって装着側係合空間６５内に突出し、係合突起７６の先端が段部６４ａと対向して係合し、図１５および図１６（Ｂ）に示すように他端側が挿入された状態で接続部材７０が装着係合部６０とも係合保持される。このとき、接続部材７０はメイン基板ケース２０に対して本体側係合凹部５４内に係合突起７４が入り込むとともに本体側回転規制突起５３が回転規制凹部７３内に入り込んで位置決めされており、この状態でメイン基板カバー３０が閉止されると装着側回転規制突起６３が回転規制凹部７３内に入り込む。なお、この作業もメイン基板カバー３０を手で押してメイン基板ケース２０の上に閉止するだけでよく、手作業で簡単に行える。
【００５５】
この結果、接続部材７０の係合突起７４が本体側係合凹部５４内に突出して接続部材７０の一端側が本体係合部５０と係合し、係合突起７６が装着側係合凹部６４内に突出して接続部材７０の他端側が装着係合部６０と係合し、メイン基板ケース２０にメイン基板カバー３０が閉止状態で保持され、これを外部から外すことができない状態となる。このため、メイン基板カバー３０を開放してケース内に配設されたメイン制御基板１６に対する不正アクセス、例えば、メイン制御基板１６に取り付けられたＲＯＭ１７に対する不正アクセスを確実に防止できる。このとき、図１６（Ｂ）に示すように、本体側係合嵌合５１ａが装着側嵌合リブ６１ａと嵌合する構成となっており、外部から針金等を挿入させることを難しくしており、不正開放操作をより効果的に防止する。
【００５６】
なお、接続部材７０の挿入は上記と逆でも良い。すなわち、接続部材７０の他端側を本体側係合空間５５に挿入して係合突起７６を本体側係合凹部５４と係合させ、一端側に装着係合部６０を被せて接続部材７０の一端側装着側係合空間６５内に入り込ませ、係合突起７４を装着側係合凹部６４と係合させても良い。このため、接続部材７０は軸方向に対称形状に作られている。
【００５７】
以上のようにしてメイン基板ケース２０にメイン基板カバー３０を閉止して第１の不正着脱防止機構ＤＰＭ１により係合保持されて構成されるメイン基板アセンブリＭＢＡは、前述したようにブラケットＢＲに取り付けられ、第２の不正着脱防止機構ＤＰＭ２により係合保持されるが、この作動は上述した第１の不正着脱防止機構ＤＰＭ１と同一であるのでその説明は省略する。なお、このとき図２に示すように、メイン基板アセンブリＭＢＡは、第１および第２ブラケット４１，４３を本体ケース１に結合するためのネジ１５を覆ってブラケットＢＲに取り付けられるため、この状態では外部からネジ１５を緩めることができず、ブラケットＢＲをケース１から取り外すような不正行為を防止できる。
【００５８】
次に、以上のようにしてブラケットＢＲに取り付けられたメイン基板アセンブリＭＢＡについて、その内部のメイン基板１６の保守点検作業を行う場合について説明する。保守点検作業を行うときには、例えばニッパ等の工具を用いて第１の不正着脱防止機構ＤＰＭ１の装着側連結部６９ａを切断し、且つ第２の不正着脱防止機構ＤＰＭ２の装着側連結部６９ｂを切断する。これにより、装着係合部６０とカバー筐体３１とが切り離されて第１および第２の不正着脱防止機構ＤＰＭ１，ＤＰＭ２による係合保持が解かれるので、メイン基板カバー３０を開放することができ、メイン基板ケース２０に取り付けたメイン制御基板１６の保守点検等を行うことができる。この状態では、メイン基板アセンブリＭＢＡをブラケットＢＲから取り外すこともできる。
【００５９】
前述のように、第１および第２の不正着脱防止機構ＤＰＭ１，ＤＰＭ２はそれぞれ４カ所に設けられているが、４カ所の第１の不正着脱防止機構ＤＰＭ１のいずれか一つのみに接続部材７０を用いてメイン基板ケース２０の上にメイン基板カバー３０を閉止状態で保持し、さらに、４カ所の第２の不正着脱防止機構ＤＰＭ２のいずれか一つのみに接続部材７０を用いてメイン基板アセンブリＭＢＡをブラケットＢＲに装着保持する。そして、保守点検作業に際しては、このように接続部材７０を用いて係合された第１および第２の不正着脱防止機構ＤＰＭ１，ＤＰＭ２における連結部６９ａ，６９ｂのみが切断される。
【００６０】
以上のようにしてメイン基板カバー３０を開放して制御基板１６の保守点検が完了した後は、未使用の第１の不正着脱防止機構ＤＰＭ１のいずれか一つのみに接続部材７０を用いてメイン基板ケース２０の上にメイン基板カバー３０を閉止状態で保持し、未使用の第２の不正着脱防止機構ＤＰＭ２のいずれか一つのみに接続部材７０を用いてメイン基板アセンブリＭＢＡをブラケットＢＲに装着保持する。このため、この例のメイン基板アセンブリＭＢＡの場合には、途中において３度の保守点検が可能である。
【００６１】
このように途中において保守点検を行うときに、接続部材７０を繰り返し使用するために、本例の場合には、上記のように装着側連結部６９ａ，６９ｂが切り離された第１および第２の不正着脱防止機構ＤＰＭ１，ＤＰＭ２から接続部材７０を取り外して再使用できるようにしている。これについて、第１の不正着脱防止機構ＤＰＭ１を例にして図１７を参照して説明する。
【００６２】
上述のようにして装着側連結部６９ａを切断した後、図１７（Ａ）に示すように、装着係合部６０を反時計回り（矢印Ｐ方向）に回転させる。この回転は装着側円筒部６１の外周を指で掴んで行われるため、その外周にローレット６１ｂが形成されている。このように装着係合部６０が回転されると、例えば、まず接続部材７０が装着係合部６０と一緒に回転され、接続部材７０の他端側（装着側係合凹部６４と係合している側）の係合突起７６のテーパ面７６ａが装着側係合凹部６４の側端面６４ｂと当接して径方向内方（矢印Ｑ方向）に押されて弾性変形し、図示のように装着側係合凹部６４から外れ出る。この状態で装着係合部６０を軸方向に引っ張れば接続部材７０との係合を解除して装着係合部６０を取り外すことができる。
【００６３】
この結果、メイン基板ケース２０に一体に繋がった状態の本体係合部５０に接続部材７０が係合されて残される。そこで、この接続部材７０を指で掴んで反時計回りに回転させると、図１７（Ｂ）に示すように、接続部材７０の一端側（本体側係合凹部５４と係合している側）の係合突起７４のテーパ面７４ａが本体側係合凹部５４の側端面５４ｂと当接して径方向内方（矢印Ｑ方向）に押されて弾性変形し、図示のように装着側係合凹部５４から外れ出る。このため、この状態で接続部材７０を軸方向に引っ張れば本体係合部５０との係合を解除して接続部材７０を取り外すことができる。
【００６４】
但し、上記のように本体係合部５０に接続部材７０を残して装着係合部６０を取り外した後に本体係合部５０から接続部材７０を取り外すようにするより、装着係合部６０に接続部材７０を係合させたまま、これらを一緒に本体係合部５０から取り外した後、装着係合部６０から接続部材７０を取り外す方が容易である。この場合には、図１７（Ａ）の状態から装着係合部６０をさらに反時計回りに回転させる。すると、図１８に示すように、装着側回転規制突起６３が接続部材７０の他端側における回転規制凹部７３の側面と当接し、装着部材７０が装着係合部６０と一緒に回転する。この結果、図１７（Ｂ）に示すように、接続部材７０の一端側（本体側係合凹部５４と係合している側）の係合突起７４のテーパ面７４ａが本体側係合凹部５４の側端面５４ｂと当接して径方向内方（矢印Ｑ方向）に押されて弾性変形し、図示のように装着側係合凹部５４から外れ出る。
【００６５】
この状態では、両方の係合突起７４，７６がともに係合凹部５４，６４から外れた状態であるため、装着係合部６０を今度は時計回りに逆転させる。これにより、装着係合部６０のみが時計回りに回転されて、最初に係合が解除された係合係合突起７６が装着側係合凹部６４内に入り込み接続部材７０が装着係合部６０と再係合される。この状態で、装着係合部６０を軸方向に引っ張れば、接続部材７０が係合された状態で装着係合部６０を本体係合部５０から取り外すことができる。そして、このように取り外した装着係合部６０に対して接続部材７０を指で掴んで回転させて軸方向に引っ張れば、上述したように係合突起７６と装着側係合凹部６４との係合を外して接続部材７０を取り外すことができる。このようにすれば、メイン基板ケース２０およびメイン基板カバー３０から取り外された状態の装着係合部６０に対して接続部材７０を掴んで回転させれば良いため、接続部材７０の取り外しが容易である。
【００６６】
なお、上記の説明においては、係合突起７４と本体側係合凹部５４との係合強さが係合突起７６と装着側係合凹部６４との係合強さより大きく、装着係合部６０を反時計回りに回転させると、最初に係合突起７６が装着側係合凹部６４から外れる場合について説明した。これに対して、係合突起７４と本体側係合凹部５４との係合強さが係合突起７６と装着側係合凹部６４との係合強さより小さく、装着係合部６０を反時計回りに回転させると、最初に係合突起７４が本体側係合凹部５４から外れる場合には、このまま装着係合部６０を引っ張れば接続部材７０が係合した状態で装着係合部６０を取り外すことができる。
【００６７】
以上においては、接続部材７０の係合突起７４，７６の周方向端部にテーパ面７４ａ，７６ａを形成し、接続部材７０と本体係合部５０もしくは装着係合部６０との相対回転に応じて係合突起７４，７６を径方向内方に押圧するように構成しているが、これに代えて、図１９に示すように、本体側係合凹部５４もしくは装着側係合凹部６４の周方向片側端部にテーパ面５４ｃ，６４ｃを形成しても良い。この場合には、係合突起７４，７６の両端部を垂直面にできる。
【００６８】
また、以上の構成では、装着係合部６０を反時計回りに回転させることにより、係合突起７４，７６と本体側係合凹部５４および装着側係合凹部６４との係合を解除するように構成していたが、これでは上述のようにどちらの係合が先に解除できるか否かはその係合強さに応じることになる。このため、図２０および図２１に示すような構成を採用しても良く、これについて以下に説明する。
【００６９】
この構成では、装着側回転規制突起６３の位置を変更し、接続部材７０により本体係合部５０と装着係合部６０とを図１６（Ｂ）に示すように係合保持した状態で、図２０（Ａ）に示すように、装着側回転規制突起６３が接続部材７０の他端側における回転規制凹部７３の端部に近接もしくは当接するようになっている。このため、装着側連結部６９ａを切断した後に装着係合部６０を図２０における反時計回り（矢印Ｐ方向）に回転させると、接続部材７０が一緒に回転され、上述の説明から分かるように、本体側係合凹部５４と係合している係合突起７４が内方（図２０（Ｂ）の矢印Ｑ方向）に押され、接続部材７０と本体係合部５０との係合が外れる。
【００７０】
この状態で装着係合部６０を軸方向に引っ張ると接続部材７０が係合した状態で装着係合部６０を本体係合部５０から取り外すことができる。このように取り出した装着係合部６０を図２１に示しており、この図において装着係合部６０に対して接続部材７０を反時計回り（図２１（Ａ）の矢印Ｐ方向）に相対回転させると、図２１（Ｂ）に示すように、係合突起７６が径方向内方（矢印Ｑ方向）に押されて、係合突起７６が装着側係合凹部６４から外れる。そこで、接続部材７０を引き出せば、これを取り外して再使用することができる。
【００７１】
以上説明したように、接続部材７０は取り外して再使用するものであり、一つのメイン基板アセンブリＭＢＡに対して一つの接続部材７０が用いられるだけであり、且つこの接続部材７０が封印部材として使用されるようになっている。このため、一つのメイン基板アセンブリＭＢＡに対して一つの封印部材（すなわち、接続部材７０）を管理するだけでよく、不正行為を行うものがこの封印部材を不正に入手することが困難であり、封印部材を適切に管理して不正行為を効果的に防止できる。また、この封印部材を封印する封印鑑としての役割を果たす本体係合部５０および装着係合部６０を透明樹脂等により作って内部を透視可能とし、例えば、図１３において符号７８ａで示す位置に刻印、シール等により管理番号を設けて、管理するのが好ましい。この場合、ケース（メイン基板ケース２０およびメイン基板カバー３０）に基板管理番号を設け、封印部材（すなわち、接続部材７０）には基板管理番号と共通する番号（もしくは関連する番号）を位置７８ａに設ければ、より確実な不正行為防止を図ることができる。さらには、刻印等の代わりに、バーコード（bar code）やＱＲコード（Quick Response code）、ＩＣチップ等を利用して、管理番号を管理するようにしてもよい。
【００７２】
次に、第２実施形態に係る本体係合部１５０と装着係合部１６０とを用いて構成される第１および第２の不正着脱機構ＤＰＭ１，ＤＰＭ２について、図２２〜図２４を参照して説明する。なお、これら本体係合部１５０および装着係合部１６０は、上述した第１実施形態に係る本体係合部５０および装着係合部６０と類似する構成であるため、同一構成部分には同一番号を付して、重複する説明は省略する。
【００７３】
本体係合部１５０を、図５の矢印XXII−XXIIに沿って断面した図を図２２（Ａ）に示し、この図の矢印Ｂ−Ｂ断面を図２２（Ｂ）に示している。この本体係合部１５０は、第１の実施形態に係る本体係合部５０とは回転規制突起１５３の形状のみが異なり、この回転規制突起１５３は回転規制突起５３より薄い形状で、且つ、本体側係合凹部５４に対して９０度回転した位置に設けられている。これ以外の構成は第１の実施形態に係る本体係合部５０と同一である。
【００７４】
一方、装着係合部１６０は、図１０および図１１に示すように、装着側円筒部６１の外周が滑らかな円筒面でローレットが形成されていないこと、装着側回転規制突起６３が形成されていないこと、カバー筐体３１と一対の装着側連結部６９ｂを介して繋がれていることが、第１の実施形態に係る装着係合部６０と相違し、これ以外の構成は装着側係合部６０と同一である。
【００７５】
これら本体側係合部１５０および装着側係合部１６０の間に配設されて両者を係合させる接続部材１７０（第２の実施形態に係る接続部材）は図２３のように構成され、両端に形成される各一対の回転規制凹部１７２，１７３の幅が小さく、本体係合部１５０の回転規制突起１５３を受容するだけの幅しかないこと、各一対の回転規制突起１７４，１７６の周方向両端が垂直面となっており、テーパ面が形成されていないことが、第１の実施形態に係る接続部材７０と相違し、これ以外の構成は接続部材７０と同一である。
【００７６】
このように構成された第２実施形態に係る本体係合部１５０、装着係合部１６０および接続部材１７０を用いて構成される第１の不正着脱機構ＤＰＭ１により、メイン基板ケース２０にメイン基板カバー３０を係止保持するときには、図２４に示すように、まず、接続部材７０を本体係合部１５０の本体側係合空間５５内に挿入する。このとき、接続部材７０のいずれの側の端部を挿入しても良く、これにより本体側回転規制突起５３が回転規制凹部１７２もしくは１７３内に突入し、係合突起１７４もしくは１７６が本体側係合凹部５４内に入り込んで係止保持される。そして、この上にメイン基板カバー３０を閉止して、装着係合部６０を被せると、接続部材７０の上方に突出する部分が装着係合部６０の装着側係合空間６５内に突入し、係合突起１７６もしくは１７４が装着側係合凹部６４内に入り込んで係止保持される。
【００７７】
このようにして、第２実施形態に係る本体係合部１５０、装着係合部１６０および接続部材１７０を用いて構成される第１の不正着脱機構ＤＰＭ１により、メイン基板ケース２０にメイン基板カバー３０が係止保持される。また、第２の不正着脱機構ＤＰＭ２も同様に構成され、これを用いてメイン基板アセンブリＭＢＡがブラケットＢＲに上記と同様にして係止保持される。このようにして、ブラケットＢＲに取り付けられたメイン基板アセンブリＭＢＡの内部のメイン基板１６の保守点検作業を行うときにも、例えばニッパ等の工具を用いて第１の不正着脱防止機構ＤＰＭ１の装着側連結部６９ａを切断し、且つ第２の不正着脱防止機構ＤＰＭ２の装着側連結部６９ｂを切断する。これにより、装着係合部１６０とカバー筐体３１とが切り離されて第１および第２の不正着脱防止機構ＤＰＭ１，ＤＰＭ２による係合保持が解かれるので、メイン基板カバー３０を開放することができ、メイン基板ケース２０に取り付けたメイン制御基板１６の保守点検等を行うことができる。
【００７８】
但し、上記構成の第２実施形態に係る第１および第２の不正着脱防止機構ＤＰＭ１，ＤＰＭ２においては、装着係合部６０は接続部材７０に対して回転規制されていないため、装着係合部６０を回転させても接続部材７０を取り外すことができない。このため、この実施形態の場合には、未使用の不正着脱防止機構ＤＰＭ１，ＤＰＭ２に新たな接続部材７０を用いてメイン基板ケース２０にメイン基板カバー３０を閉止させて係合保持し、メイン基板アセンブリＭＢＡをブラケットＢＲに装着保持する。
【００７９】
以上においては、第１の不正着脱防止機構ＤＰＭ１によりメイン基板カバー３０をブラケットＢＲに係止保持する構成であり、第２の不正着脱防止機構ＤＰＭ２が無くても、メイン基板カバー３０の係止保持が可能である。すなわち、上記第２の不正着脱防止機構ＤＰＭ２を無くしても良い。
【００８０】
続いて、スロットマシンの第２実施例について図２５（Ａ）および（Ｂ）を参照しながら説明する。なお、第２実施例のスロットマシンＳＭ２は、上述した第１実施例のスロットマシンＳＭにおけるブラケットＢＲおよびメイン基板アセンブリＭＢＡの装置構成のみ異なり、他の装置構成は同様であるため同一部位に同一番号を付して重複説明を省略する。ここで、図２５（Ａ）は第２実施例におけるスロットマシンＳＭ２の正面図、（Ｂ）は本体カバー２を取り外した状態のスロットマシンＳＭ２を示している。
【００８１】
第２実施例のスロットマシンＳＭ２は、前面が開放した本体ケース１およびその前面開放部を開閉自在に覆って取り付けられる本体カバー２とから構成される略直方体状のキャビネットケース内に遊技構成機構を配設して構成される。本体カバー２の前面には、図柄表示を行うための表示窓３、スタートレバー４、停止ボタン５、メダル投入口６、メダル払出口７、ここから払い出されるメダルを受容する受け皿８等が図示にように設けられている。このスロットマシンＳＭにおける本体ケース１の内部を図２５（Ｂ）に示しており、ここには、メイン基板アセンブリＭＢＡ２、第１〜第３リール１１ａ〜１１ｃを有して構成される回転リール装置１１、遊技メダル払出装置１２、電源基板１３、遊技メダル補助収納庫１４等が図示のように配設されている。本体ケース１の内部の上部を拡大して図２６に示しており、メイン基板アセンブリＭＢＡ２は、本体ケース１の背面板１ａに取り付けられたブラケットＢＲ２の上に取り付けられている。この本体ケース１に本体カバー２がヒンジ結合されており、本体ケース１から本体カバー２に延びる電気配線が設けられているが、図２５、図２６ではこの配線を省略している。
【００８２】
上記の構成におけるブラケットＢＲ２およびメイン基板アセンブリＭＢＡ２に本発明に係る不正着脱防止機構を適用しており、これらの構成について図２７〜図３３を追加参照しながら以下に説明する。ここで、図２７はブラケットＢＲ２およびメイン基板アセンブリＭＢＡ２の平断面図、図２８はブラケットＢＲ２およびメイン基板アセンブリＭＢＡ２の側断面図、図２９はブラケットＢＲ２およびメイン基板アセンブリＭＢＡ２の分解斜視図である。また、図３０はブラケットＢＲ２における本体係合部５０が形成された部分を示す正面図、図３１（Ａ）は図３０の矢印XXXI−XXXIに沿って本体係合部５０を示す断面図、図３１（Ｂ）は図３１（Ａ）の矢印Ｂ−Ｂに沿って本体係合部５０を示す断面図、図３２はメイン基板アセンブリＭＢＡ２に構成される内部カバー２８０の平面図および側断面図、そして図３３はメイン基板アセンブリＭＢＡ２の右端部を示す斜視図および部分断面図である。
【００８３】
ブラケットＢＲ２は、図２９に示すように、左右一対の第１および第２ブラケット部材２４０，２４３から構成される。第１ブラケット部材２４０は、略Ｌ字状の平板部２４１と、平板部２４１の左および下側縁に沿って起立して形成されたＬ字状のリブ部２４２と、リブ部２４２の右側内面に形成された上下一対の係合凹部２４２ａとを有して構成される。第２ブラケット部材２４３は、略逆Ｌ字状の平板部２４４と、平板部２４４の下側縁に沿って起立して形成されたリブ部２４５と、平板部２４４の上下側縁から対向して起立形成された一対の保持アーム２４６，２４６と、平板部２４４の右側縁に形成された支持台部２４７ａと、支持台部２４７ａから突出して形成された上下の位置決めピン２４７ｂ，２４７ｂと、支持台部２４７ａの右側縁に沿って起立して形成されたリブ部２４７ｃとを有して構成される。そして、図３０にも示すように、支持台部２４７ａの内側面に沿って、第２の不正着脱防止機構ＤＰＭ２を構成する本体係合部５０が設けられている。
【００８４】
なお、本体係合部５０は、第１実施例のスロットマシンＳＭに構成される本体係合部５０と同じ構造であり、図３１に示すように、上方に開口した有底円筒状の本体側円筒部５１を有して構成され、その本体側底壁５２は第２ブラケット部材２４３の平板部２４４と一体に繋がっている。同様に、本体側円筒部５１内に形成される円筒状の本体側空間５５内に、互いに対向して（１８０度離れる位置関係で）本体側係合凹部５４，５４が形成されており、本体側係合凹部５４の先端側に段部５４ａが形成される。また、本体側底壁５２には本体側円筒部５１の内周面に接するとともに互いに対向して本体側空間５５内に突出する一対の本体側回転規制突起５３，５３が形成されている。さらに、本体側円筒部５１の上端にはリング状の本体側嵌合リブ５１ａが形成されている。
【００８５】
なお、第１実施例のスロットマシンＳＭの場合と同様に、本体側係合凹部５４は本体側底壁５２を貫通して平板部２４４の裏面に開口しているが、この開口は平板部２４４の裏面に位置しているため、第２ブラケット部材２４３によりこの開口が塞がれ、外部からの不正着脱行為の問題はない。
【００８６】
第１および第２ブラケット部材２４０，２４３は、図２６および図２９に示すように、それぞれ平板部２４１，２４４に形成されたネジ挿入孔２４１ａに挿入されたネジ２１５（平板部２４４のネジ挿入孔およびネジは図示せず）により本体ケース１の背面板１ａに結合固定されている。なお、平板部２４１と平板部２４４とを一体に繋いで第１及び第２ブラケット部材２４０，２４３を一体に形成しても良い。
【００８７】
メイン基板アセンブリＭＢＡ２は、図２９に示すように、ブラケットＢＲ２側に位置するメイン基板ケース２２０と、メイン基板ケース２２０の内部に収容されるＲＯＭ２１７等が設けられたメイン制御基板２１６（図２６〜図２８を参照）と、メイン制御基板２１６を覆ってメイン基板ケース２２０の上に開閉自在に取り付けられるメイン基板カバー２３０と、メイン基板カバー２３０の内側に取り付けられる内部カバー２８０とを有して構成される。但し、図２９においてはメイン制御基板２１６を省略して示している。このメイン基板アセンブリＭＢＡ２において、メイン基板ケース２２０にメイン基板カバー２３０を覆って（閉止して）取り付けた状態でこれら両者が第１の不正着脱防止機構ＤＰＭ１によって係合保持されるが、この場合には、メイン基板ケース２２０が特許請求の範囲に規定する本体部材に該当し、メイン基板カバー２３０が装着部材に該当する。
【００８８】
メイン基板ケース２２０は、図２９に示すように、前面が開放した矩形箱状に形成されたケース筐体２２１を有して構成される。メイン基板カバー２３０は、図２９に示すように、後面が開口した矩形箱状に形成されたカバー筐体２３１と、カバー筐体２３１の右側部に延びて一体に形成された矩形枠部２３４とを有し、ケース筐体２２１の前面上に重なるように取り付けられる。これにより、メイン制御基板２１６はメイン基板ケース２２０とメイン基板カバー２３０との間に形成されるケース空間内に配設される。カバー筐体２３１の左側面には、上下に間隔を置いて左側方に突出する一対の係合突起２３６，２３６が形成されている。
【００８９】
また、矩形枠部２３４の右側上下にはピン孔２３７，２３７が形成されており、メイン基板アセンブリＭＢＡ２がブラケットＢＲ２（第１および第２ブラケット部材２４０，２４３）の上に取り付けられるときに、第２ブラケット部材２４３の支持台部２４７ａに形成された位置決めピン２４７ｂ，２４７ｂとそれぞれ係合するようになっている。これにより、メイン基板アセンブリＭＢＡ２をブラケットＢＲ２に取り付ける際の位置決めを容易に行うことができる。
【００９０】
メイン基板カバー２３０の内面側には基板取付部２３８が形成されており、基板取付ネジ２１８を用いてメイン制御基板２１６および内部カバー２８０が取り付けられている。内部カバー２８０は、図３２に示すように、カバー筐体２３１の開口の形状に合わせて板状に形成され、図２７および図２８に示すように、メイン制御基板２１６の裏面側に重なるようにして、すなわち、メイン制御基板２１６におけるメイン基板ケース２２０と対向する面を覆う状態で、メイン基板カバー２３０の内側に取り付けられる。これにより、メイン基板ケース２２０とメイン基板カバー２３０との隙間から針金やセル板などの道具（図示せず）がケース内部に挿入されても、これらの道具は内部カバー２８０に覆われたメイン制御基板２１６に到達できないことから、メイン制御基板２１６に対する不正行為をより確実に防止することができる。
【００９１】
内部カバー２８０の四隅にはネジ通過孔２８１が形成されており、基板取付ネジ２１８がそれぞれ通過するようになっている。内部カバー２８０の表面側には、枠状に繋がって形成された周囲リブ２８２が形成されており、図２７および図２８に示すように、メイン基板カバー２３０の内面側にメイン制御基板２１６および内部カバー２８０が取り付けられた状態で、メイン制御基板２１６の縁部近傍に当接するようになっている。これにより、メイン制御基板２１６の裏面（メイン基板ケース２２０と対向する面）が内部カバー２８０に覆われた状態となり、メイン制御基板２１６の裏面側に対する不正なアクセスがより確実に防止される。
【００９２】
メイン基板ケース２２０におけるケース筐体２２１の上側壁外面に等間隔で三カ所にヒンジアーム２２２が形成され、下側壁外面に前方に突出する一対の係止アーム２２３が形成されている。メイン基板カバー２３０におけるカバー筐体２３１の上側壁外面には、等間隔で三カ所に上記ヒンジアーム２２２が揺動自在に係合するヒンジ軸２３２が形成され、下側壁外面に一対の係止突起２３３が形成されている。このため、図３３、特にその丸囲みＡの断面図に示すように、ヒンジアーム２２２とヒンジ軸２３２とをヒンジ係合させて、メイン基板ケース２２０に対してメイン基板カバー２３０をこのヒンジ係合部を中心として開閉揺動させることができる。メイン基板カバー２３０をメイン基板ケース２２０の上（前方）に重ねて閉止状態とすると、図３３の丸囲みＢの断面図に示すように、係止アーム２２３が係止突起２３３と係合して閉止状態のまま保持される。また、メイン基板カバー２３０がメイン基板ケース２２０に対し閉止状態のときには、ヒンジアーム２２２がヒンジ軸２３２の前方を覆うため、ヒンジ軸２３２が切断される等、ヒンジ軸２３２に対する不正なアクセスを抑止することができる。
【００９３】
ケース筐体２２１の前面端の全周にわたって前方に突出するケース側嵌合リブ２２５が形成され、カバー筐体２３１の後面端の全周にわたって後方に突出するカバー側嵌合リブ２３５が形成されており、両嵌合リブ２２５，２３５が、図３３の丸囲みＢの断面図に示すように嵌合してメイン基板カバー２３０がメイン基板ケース２２０に閉止状態で取り付けられる。このように嵌合リブ２２５，２３５を嵌合させることにより、外部から針金などを用いてメイン制御基板２１６に対する不正行為を行うことを防止する。
【００９４】
メイン基板ケース２２０を覆ってメイン基板カバー２３０が取り付けられた状態では、係止アーム２２３がその弾性変形力により係止突起２３３と係合しているだけである。このため、係止アーム２２３を外方に弾性変形させれば係止突起２３３との係合を解除して、メイン基板カバー２３０を簡単に開放できる。そこで、このように閉止状態で取り付けたメイン基板カバー２３０を開放できなくして不正操作を防止するために、本発明に係る不正着脱防止機構（第１の不正着脱防止機構ＤＰＭ１）がメイン基板アセンブリＭＢＡ２の下側面に沿って合計４カ所に設けられている。
【００９５】
これら第１の不正着脱防止機構ＤＰＭ１はそれぞれ、メイン基板ケース２２０に繋がった本体係合部５０と、メイン基板カバー２３０に繋がった装着係合部６０と、両係合部５０，６０の間に挿入保持される接続部材７０とから構成される。この第１の不正着脱防止機構ＤＰＭ１は、第１実施例のスロットマシンＳＭに構成される第１の不正着脱防止機構ＤＰＭ１と同じ構成であり、詳細な説明を省略する。
【００９６】
第１の不正着脱防止機構ＤＰＭ１により係合保持されたメイン基板ケース２２０およびメイン基板カバー２３０の間にメイン制御基板２１６を収容して構成されるメイン基板アセンブリＭＢＡ２は、メイン基板カバー２３０のカバー筐体２３１の左側面に形成された上下一対の係合突起２３６，２３６を、第１ブラケット部材２４０のリブ部２４２に形成された上下一対の係合凹部２４２ａ，２４２ａにそれぞれ挿入係合した状態で、ブラケットＢＲ２（第１および第２ブラケット部材２４０，２４３）の上に取り付けられる。このとき、図２７および図３３に示すように、矩形枠部２３４が支持台部２４７ａの上に載置されるとともに矩形枠部２３４のピン孔２３７が第２ブラケット部材２４３の位置決めピン２４７ｂと係合して位置決めされる。さらに、矩形枠部２３４の上下両端部が、図３３の丸囲みＣの断面図に示すように、上下の保持アーム２４６により挟まれるとともに保持アーム２４６の内面に設けられた保持突起２４６ａにより係止保持される。
【００９７】
メイン基板アセンブリＭＢＡ２がブラケットＢＲ２の上に装着された状態では、保持アーム２４６がその弾性変形力により矩形枠部２３４の上下端部と係合しているだけである。このため、保持アーム２４６を外方に弾性変形させれば矩形枠部２３４との係合を解除して、メイン基板アセンブリＭＢＡ２全体を取り外すことができる。そこで、メイン基板アセンブリＭＢＡ２を取り外せなくしてその不正交換を防止するために、本発明に係る不正着脱防止機構（第２の不正着脱防止機構ＤＰＭ２）がメイン基板アセンブリＭＢＡ２の左側面に沿って（且つ、矩形枠部２３４に囲まれる部分に位置して）合計４カ所に設けられている。
【００９８】
これら第２の不正着脱防止機構ＤＰＭ２はそれぞれ、メイン基板カバー２３０に繋がった装着係合部６０と、第２ブラケット部材２４３の支持台部２４７ａに繋がった本体係合部５０と、両係合部５０，６０の間に挿入保持される接続部材７０とから構成される。この構成から分かるように、第２の不正着脱防止機構ＤＰＭ２においては、ブラケットＢＲ２が特許請求の範囲に規定する本体部材に該当し、メイン基板アセンブリＭＢＡ２（メイン基板カバー２３０）が装着部材に該当する。また、この第２の不正着脱防止機構ＤＰＭ２は、第１実施例のスロットマシンＳＭに構成される第２の不正着脱防止機構ＤＰＭ２と同じ構成であり、詳細な説明を省略する。
【００９９】
以上のような構成のメイン基板アセンブリＭＢＡ２において、第１実施例のスロットマシンＳＭに構成されるメイン基板アセンブリＭＢＡと同様に、メイン基板カバー２３０をメイン基板ケース２２０に対して閉止させるとともに、第１の不正着脱防止機構ＤＰＭ１に構成される接続部材７０を本体係合部５０および装着係合部６０と係合させると、第１の不正着脱防止機構ＤＰＭ１によりメイン基板カバー２３０がメイン基板ケース２２０に対して閉止状態で保持される。このため、メイン基板カバー２３０を開放してケース内に配設されたメイン制御基板２１６に対する不正アクセス、例えば、メイン制御基板２１６に取り付けられたＲＯＭ２１７に対する不正アクセスを確実に防止できる。
【０１００】
以上のようにして第１の不正着脱防止機構ＤＰＭ１により閉止保持されたメイン基板アセンブリＭＢＡ２をブラケットＢＲ２に取り付けるとともに、第２の不正着脱防止機構ＤＰＭ２に構成される接続部材７０を本体係合部５０および装着係合部６０と係合させると、同様に、第２の不正着脱防止機構ＤＰＭ２によりメイン基板アセンブリＭＢＡ２がブラケットＢＲ２に取り付けられた状態で保持される。この結果、装着側連結部６９ｂ（図３３を参照）を切断しない限りブラケットＢＲ２からメイン基板アセンブリＭＢＡ２を取り外すことができないため、メイン基板アセンブリＭＢＡ２の不正交換の防止効果が高い。また、装着側連結部６９ｂを切断してメイン基板アセンブリＭＢＡ２を不正に交換したときにはその破壊痕跡が残るためこれを容易に発見でき、メイン基板アセンブリＭＢＡ２の不正着脱交換行為を効果的に抑止できる。
【０１０１】
これにより、第１の不正着脱防止機構ＤＰＭ１によりメイン基板カバー２３０がメイン基板ケース２２０に閉止状態で係合保持されてメイン基板アセンブリＭＢＡ２の不正開放行為を確実に防止でき、第２の不正着脱防止機構ＤＰＭ２によりメイン基板アセンブリＭＢＡ２がブラケットＢＲ２に装着状態で係合保持されてメイン基板アセンブリＭＢＡ２の不正着脱交換行為を確実に防止できる。なおこのとき、図２６に示すように、メイン基板アセンブリＭＢＡ２は、第１および第２ブラケット２４１，２４３を本体ケース１に結合するためのネジ２１５を覆ってブラケットＢＲ２に取り付けられるため、この状態では外部からネジ２１５を緩めることができず、ブラケットＢＲ２を本体ケース１から取り外すような不正行為を防止できる。
【０１０２】
次に、以上のようにしてブラケットＢＲ２に取り付けられたメイン基板アセンブリＭＢＡ２について、その内部のメイン基板２１６の保守点検作業を行う場合について説明する。保守点検作業を行うときには、例えばニッパ等の工具を用いて第１の不正着脱防止機構ＤＰＭ１におけるカバー筐体２３１との装着側連結部６９ａ（図３３を参照）を切断し、且つ第２の不正着脱防止機構ＤＰＭ２におけるカバー筐体２３１との装着側連結部６９ｂ（図３３を参照）を切断する。これにより、各装着係合部６０とカバー筐体２３１とが切り離されて第１および第２の不正着脱防止機構ＤＰＭ１，ＤＰＭ２による係合保持が解かれるので、メイン基板カバー２３０を開放することができ、メイン基板アセンブリＭＢＡ２内に収容されていたメイン制御基板２１６の保守点検等を行うことができる。この状態では、メイン基板アセンブリＭＢＡ２をブラケットＢＲ２から取り外すこともできる。
【０１０３】
前述のように、第１および第２の不正着脱防止機構ＤＰＭ１，ＤＰＭ２はそれぞれ４カ所に設けられているが、４カ所の第１の不正着脱防止機構ＤＰＭ１のいずれか一つのみに接続部材７０を用いてメイン基板ケース２２０の上にメイン基板カバー２３０を閉止状態で保持し、さらに、４カ所の第２の不正着脱防止機構ＤＰＭ２のいずれか一つのみに接続部材７０を用いてメイン基板アセンブリＭＢＡ２をブラケットＢＲ２に装着保持する。そして、保守点検作業に際しては、このように接続部材７０を用いて係合された第１および第２の不正着脱防止機構ＤＰＭ１，ＤＰＭ２における連結部６９ａ，６９ｂのみが切断される。
【０１０４】
以上のようにしてメイン基板カバー２３０を開放して制御基板２１６の保守点検が完了した後は、未使用の第１の不正着脱防止機構ＤＰＭ１のいずれか一つのみに接続部材７０を用いてメイン基板ケース２２０の上にメイン基板カバー２３０を閉止状態で保持し、未使用の第２の不正着脱防止機構ＤＰＭ２のいずれか一つのみに接続部材７０を用いてメイン基板アセンブリＭＢＡ２をブラケットＢＲ２に装着保持する。このため、この例のメイン基板アセンブリＭＢＡ２の場合には、途中において３度の保守点検が可能である。
【０１０５】
このように途中において保守点検を行うときに、接続部材７０を繰り返し使用するために、本例の場合には、上記のように装着側連結部６９ａ，６９ｂが切り離された第１および第２の不正着脱防止機構ＤＰＭ１，ＤＰＭ２から接続部材７０を取り外して再使用できるようにしている。すなわち、第１実施例のスロットマシンＳＭと同様に、接続部材７０は取り外して再使用するものであり、一つのメイン基板アセンブリＭＢＡ２に対して一つの接続部材７０が用いられるだけであり、且つこの接続部材７０が封印部材として使用されるようになっている。このため、一つのメイン基板アセンブリＭＢＡ２に対して一つの封印部材（すなわち、接続部材７０）を管理するだけでよく、不正行為を行うものがこの封印部材を不正に入手することが困難であり、封印部材を適切に管理して不正行為を効果的に防止できる。
【０１０６】
また、この封印部材を封印する封印鑑としての役割を果たす本体係合部５０および装着係合部６０を透明樹脂等により作って内部を透視可能とし、例えば、接続部材７０に刻印、シール等により管理番号を設けて、管理するのが好ましい。これにより、より確実な不正行為防止を図ることができる。さらには、刻印等の代わりに、バーコード（bar code）やＱＲコード（Quick Response code）、ＩＣチップ等を利用して、管理番号を管理するようにしてもよい。
【０１０７】
なお、上述の第１実施例における第２実施形態に係る本体係合部１５０と装着係合部１６０とを備えて構成される第１および第２の不正着脱機構ＤＰＭ１，ＤＰＭ２を用いても、第１実施例のスロットマシンＳＭと同様に、（第２実施形態に係る）第１の不正着脱防止機構ＤＰＭ１によりメイン基板カバー２３０がメイン基板ケース２２０に閉止状態で係合保持されてメイン基板アセンブリＭＢＡ２の不正開放行為を確実に防止でき、（第２実施形態に係る）第２の不正着脱防止機構ＤＰＭ２によりメイン基板アセンブリＭＢＡ２がブラケットＢＲ２に装着状態で係合保持されてメイン基板アセンブリＭＢＡ２の不正着脱交換行為を確実に防止できる。
【０１０８】
以上の各実施例において、図３４に示すように、接続部材７０における回転規制凹部７２，７３の端部にテーパ部２７２，２７３を設けるようにしてもよい。このようにすれば、接続部材７０を本体係合部５０および装着係合部６０と係合させるときに、接続部材７０の端部が本体係合部５０の本体側回転規制突起５３もしくは装着係合部６０の装着側回転規制突起６３と衝突して各回転規制突起５３，６３が破損してしまうことを防止することができる。
【０１０９】
また、以上の各実施例において、スロットマシンの本体ケース内に取り付けられたメイン基板アセンブリを例にして説明したが、本発明の不正着脱防止機構はこれに限られるものではない。例えば、スロットマシンの他の部分（カバーの裏面等）に設けられた基板ケース（いわゆる、サブ基板アセンブリ）についても同様な構成を適用でき、パチンコ機の内部に配設される基板ケースにも適用できる。
【図面の簡単な説明】
【０１１０】
【図１】本発明に係る不正着脱防止機構を適用したスロットマシン（遊技機）の外観正面図および内部正面図である。
【図２】上記スロットマシンの内部上部を拡大して示す正面図である。
【図３】上記ケース本体に取り付けられるメイン基板アセンブリおよびブラケットを分解した状態で示す斜視図である。
【図４】上記メイン基板アセンブリの右端部を示す斜視図および部分断面図である。
【図５】上記メイン基板アセンブリを構成するメイン基板ケースに設けられる本体係合部を示す正面図である。
【図６】上記本体係合部の側面および正面断面図である。
【図７】ブラケット部材における本体係合部が形成された部分を示す正面図である。
【図８】図７の矢印VIII−VIIIに沿って本体係合部を示す断面図および図８（Ａ）の矢印Ｂ−Ｂに沿って本体係合部を示す断面図である。
【図９】メイン基板カバーにおける装着係合部が形成された部分をカバーを開いた状態で示す正面図である。
【図１０】第１の不正着脱防止機構を構成する装着係合部の正面断面図である。
【図１１】図１０の矢印XI−XIに沿って上記装着係合部を示す断面図である。
【図１２】接続部材を示す斜視図である。
【図１３】上記接続部材の平面図である。
【図１４】上記接続部材の断面図である。
【図１５】第１の不正着脱防止機構を係合保持状態で示す平面図である。
【図１６】第１の不正着脱防止機構の断面図である。
【図１７】第１の不正着脱防止機構から接続部材を取り外す作動を説明するための断面図である。
【図１８】第１の不正着脱防止機構から接続部材を取り外す作動を説明するための断面図である。
【図１９】本体係合部および装着係合部の変形例を示す断面図である。
【図２０】不正着脱防止機構の変形例において、接続部材を取り外す作動を説明するための断面図である。
【図２１】不正着脱防止機構の変形例において、接続部材を取り外す作動を説明するための断面図である。
【図２２】第２の実施形態に係る不正着脱防止機構を構成する本体係合部を示す側面および正面断面図である。
【図２３】第２の実施形態に係る不正着脱防止機構を構成する接続部材の斜視図である。
【図２４】第２の実施形態に係る不正着脱防止機構を係合状態で示す断面図である。
【図２５】第２実施例におけるスロットマシン（遊技機）の外観正面図および内部正面図である。
【図２６】第２実施例におけるスロットマシンの内部上部を拡大して示す正面図である。
【図２７】第２実施例におけるブラケットおよびメイン基板アセンブリの平断面図である。
【図２８】第２実施例におけるブラケットおよびメイン基板アセンブリの側断面図である。
【図２９】第２実施例におけるブラケットおよびメイン基板アセンブリの分解斜視図である。
【図３０】第２実施例のブラケットにおける本体係合部が形成された部分を示す正面図である。
【図３１】（Ａ）は図３０の矢印XXXI−XXXIに沿った断面図であり、（Ｂ）は（Ａ）の矢印Ｂ−Ｂに沿った断面図である。
【図３２】内部カバーの平面図および側断面図である。
【図３３】第２実施例におけるメイン基板アセンブリの右端部を示す斜視図および部分断面図である。
【図３４】接続部材の変形例を示す斜視図である。
【符号の説明】
【０１１１】
ＳＭ  スロットマシン
ＭＢＡ  メイン基板アセンブリ
ＢＲ  ブラケット
ＤＰＭ１，ＤＰＭ２  不正着脱防止機構
１  本体ケース
１ａ  背面板
２  本体カバー
３  表示窓
４  スタートレバー
５  停止ボタン
６  メダル投入口
７  メダル払出口
８  受け皿
１１  回転リール装置
１１ａ〜１１ｃ  第１〜第３リール
１２  遊技メダル払出装置
１３  電源基板
１４  遊技メダル補助収納庫
１５  ネジ
１６  メイン制御基板
１７  ＲＯＭ
２０  メイン基板ケース
２１  ケース筐体
２２  ヒンジ軸
２３  係止アーム
２５  ケース側嵌合リブ
３０  メイン基板カバー
３１  カバー筐体
３２  ヒンジアーム
３３  係止突起
３４  矩形枠部
３５  カバー側嵌合リブ
３６  係合突起
４０，４３  第１、第２ブラケット部材
４１，４４  平板部
４１ａ  ネジ挿入孔
４２，４５  リブ部
４２ａ  係合凹部
４６  保持アーム
４６ａ  係合突起
４７ａ  支持台部
４７ｂ  支持突起部
５０，１５０  本体係合部
５１  本体側円筒部
５１ａ  本体側嵌合リブ
５２  本体側底壁
５３，１５３  本体側回転規制突起
５４  本体側係合凹部
５４ａ  段部
５５  本体側空間
５９ａ，５９ｂ  本意側連結部
６０，１６０  装着係合部
６１  装着側円筒部
６１ａ  装着側嵌合リブ
６１ｂ  ローレット
６２  装着側底壁
６３  装着側回転規制突起
６４  装着側係合凹部
６４ａ  段部
６５  装着側空間
６９ａ，６９ｂ  装着側連結部
７０，１７０  接続部材
７１  接続本体部
７２，７３，１７２，１７３  回転規制凹部
７４，７６，１７４，１７６  係合突起
７４ａ，７６ａ  テーパ面
７４ｂ，７６ｂ  垂直面
７５ａ，７７ａ  Ｕ字状切り欠き
７５ｂ，７７ｂ  基部
７８  仕切壁
ＳＭ２  スロットマシン（第２実施例）
ＭＢＡ２  メイン基板アセンブリ
ＢＲ２  ブラケット
２１５  ネジ
２１６  メイン制御基板
２１７  ＲＯＭ
２１８  基板取付ネジ
２２０  メイン基板ケース
２２１  ケース筐体
２２２  ヒンジアーム
２２３  係止アーム
２２５  ケース側嵌合リブ
２３０  メイン基板カバー
２３１  カバー筐体
２３２  ヒンジ軸
２３３  係止突起
２３４  矩形枠部
２３５  カバー側嵌合リブ
２３６  係合突起
２３７  ピン孔
２３８  基板取付部
２４０，２４３  第１、第２ブラケット部材
２４１，２４４  平板部
２４１ａ  ネジ挿入孔
２４２，２４５  リブ部
２４２ａ  係合凹部
２４６  保持アーム
２４６ａ  係合突起
２４７ａ  支持台部
２４７ｂ  位置決めピン
２４７ｃ  リブ部
２７２，２７３  テーパ部
２８０  内部カバー
２８１  ネジ通過孔
２８２  周囲リブ
【図１】
2004209238.tif 000003
【図２】
2004209238.tif 000004
【図３】
2004209238.tif 000005
【図４】
2004209238.tif 000006
【図５】
2004209238.tif 000007
【図６】
2004209238.tif 000008
【図７】
2004209238.tif 000009
【図８】
2004209238.tif 000010
【図９】
2004209238.tif 000011
【図１０】
2004209238.tif 000012
【図１１】
2004209238.tif 000013
【図１２】
2004209238.tif 000014
【図１３】
2004209238.tif 000015
【図１４】
2004209238.tif 000016
【図１５】
2004209238.tif 000017
【図１６】
2004209238.tif 000018
【図１７】
2004209238.tif 000019
【図１８】
2004209238.tif 000020
【図１９】
2004209238.tif 000021
【図２０】
2004209238.tif 000022
【図２１】
2004209238.tif 000023
【図２２】
2004209238.tif 000024
【図２３】
2004209238.tif 000025
【図２４】
2004209238.tif 000026
【図２５】
2004209238.tif 000027
【図２６】
2004209238.tif 000028
【図２７】
2004209238.tif 000029
【図２８】
2004209238.tif 000030
【図２９】
2004209238.tif 000031
【図３０】
2004209238.tif 000032
【図３１】
2004209238.tif 000033
【図３２】
2004209238.tif 000034
【図３３】
2004209238.tif 000035
【図３４】
2004209238.tif 000036